(57)【要約】【課題】  表示機器を視聴者の頭部軸からほぼ一定距離を保ち、つねに視聴者側に表示面を向けながら、軽微な力で回転させることが可能な表示装置の技術が開示されているが、この表示装置では回転軸に対して表示機器の反対側に表示機器の重力回転モーメントを打ち消すためのバランサーを用いる必要があり、かつ表示装置を小型化するためにはバランサーの質量を大きくする必要もあり、結果として表示装置としての質量が増加し、装置の搬送や設置が困難であった。  さらに画面サイズの大きな表示機器を用いる場合、表示機器ばかりでなくバランサーの質量も増加する問題があった。【解決手段】  シャーシ保持手段がシャーシを保持し、シャーシが回転軸保持手段ＡとモータＡを保持し、回転軸保持手段Ａが回転軸Ａを保持し、回転軸Ａがアームを保持し、アームがプロジェクタ及びスクリーンを保持し、かつ回転軸ＡとモータＡとの間に伝達トルク制限機能を有する回転力伝達手段Ａを有する表示装置。【選択図】図１
2008186005.tif 000002
【特許請求の範囲】
【請求項１】
シャーシ保持手段がシャーシを保持し、シャーシが回転軸保持手段ＡとモータＡを保持し、回転軸保持手段Ａが回転軸Ａを保持し、回転軸Ａがアームを保持し、アームがプロジェクタ及びスクリーンを保持し、かつ回転軸ＡとモータＡとの間に伝達トルク制限機能を有する回転力伝達手段Ａを有する表示装置
【請求項２】
請求項１において、シャーシ保持手段がさらに回転軸Ｂを保持し、またシャーシがさらに回転軸保持手段ＢとモータＢを保持することで、シャーシがシャーシ保持手段に保持されるとともに回転軸Ｂ周りに回転可能とし、かつ回転軸ＢとモータＢの間に伝達トルク制限機能を有する回転力伝達手段Ｂを有する表示装置
【請求項３】
請求項１において、シャーシ保持手段がさらに回転軸保持手段ＢとモータＢを保持し、またシャーシがさらに回転軸Ｂを保持することで、シャーシがシャーシ保持手段に保持されるとともに回転軸Ｂ周りに回転可能とし、かつ回転軸ＢとモータＢの間に伝達トルク制限機能を有する回転力伝達手段Ｂを有する表示装置
【発明の詳細な説明】
【技術分野】
【０００１】  本発明は仰臥もしくは横臥した時に、見やすい表示装置に関する技術分野である。
【背景技術】
【０００２】  仰臥もしくは横臥したときに表示装置を見やすくする装置としては、視聴者の好みに応じて表示装置の位置を容易に変更することができる技術が開示されている。（特許文献１及び２参照）
【特許文献１】特開２００５−０８４６７１号公報
【特許文献２】特開２００５−１９５７１１号公報
【発明の開示】
【発明が解決しようとする課題】
【０００３】  しかしながら従来から知られている技術には以下のような課題があった。
すなわち、特許文献１および２においては、表示装置の回転軸と視聴者の頭部軸をほぼ一致させることにより、表示機器を視聴者の頭部軸からほぼ一定距離を保ち、つねに視聴者側に表示面を向けながら、軽微な力で回転させることが可能な表示装置の技術が開示されているが、この表示装置では回転軸に対して表示機器の反対側に表示機器のトルクを打ち消すためのバランサーを用いる必要があり、かつ表示装置を小型化するためにはバランサーの質量を大きくする必要もあり、結果として表示装置としての質量が増加し、装置の搬送や設置が困難であった。
さらに画面サイズの大きな表示機器を用いる場合、表示機器ばかりでなくバランサーの質量も増加する問題があった。【０００４】  本発明は上述した従来技術の問題点に鑑みてなされ、仰臥もしくは左右いずれの横臥状態でも、表示機器を視聴者の頭部軸からほぼ一定距離を保ちながら、つねに視聴者側に表示面を向けながら、軽微な力で回転させることが可能でかつ大画面及び軽量な表示装置を実現するものである。
【課題を解決するための手段】
【０００５】  上述した従来技術の問題点を解決し、上述した目的を達成するために、本発明のうち請求項１に記載した発明の表示装置は、シャーシ保持手段がシャーシを保持し、シャーシが回転軸保持手段ＡとモータＡを保持し、回転軸保持手段Ａが回転軸Ａを保持し、回転軸Ａがアームを保持し、アームがプロジェクタ及びスクリーンを保持し、かつ回転軸ＡとモータＡとの間に伝達トルク制限機能を有する回転力伝達手段Ａを有することを特徴とする。【０００６】  また前述した従来技術の問題点を解決し、前述した目的を達成するために、本発明のうち請求項２に記載した発明の表示装置は、請求項１で述べた特徴に加え、シャーシ保持手段がさらに回転軸Ｂを保持し、またシャーシがさらに回転軸保持手段ＢとモータＢを保持することで、シャーシがシャーシ保持手段に保持されるとともに回転軸Ｂ周りに回転可能とし、かつ回転軸ＢとモータＢの間に伝達トルク制限機能を有する回転力伝達手段Ｂを有することを特徴とする。【０００７】  さらに、前述した従来技術の問題点を解決し、前述した目的を達成するために、本発明のうち請求項３に記載した発明の表示装置は、請求項１で述べた特徴に加え、シャーシ保持手段がさらに回転軸保持手段ＢとモータＢを保持し、またシャーシがさらに回転軸Ｂを保持することで、シャーシがシャーシ保持手段に保持されるとともに回転軸Ｂ周りに回転可能とし、かつ回転軸ＢとモータＢの間に伝達トルク制限機能を有する回転力伝達手段Ｂを有することを特徴とする。
【発明の効果】
【０００８】  第１の請求項に記載した発明に拠れば、シャーシ保持手段がシャーシを保持し、シャーシが回転軸保持手段ＡとモータＡを保持し、回転軸保持手段Ａが回転軸Ａを保持し、回転軸Ａがアームを保持し、アームがプロジェクタ及びスクリーンを保持し、かつ回転軸ＡとモータＡとの間に伝達トルク制限機能を有する回転力伝達手段Ａを有するため、シャーシ保持手段を例えばベッドのヘッドボードに固定すれば、シャーシは固定され、シャーシが保持する回転軸保持手段Ａが回転軸Ａを保持し、回転軸Ａが保持するアームがプロジェクタ及びスクリーンを保持する。
ここでアームと、アームに保持されたプロジェクタ及びスクリーンが重力によって生成する回転軸Ａ周りのトルクよりも、回転軸伝達手段Ａの伝達可能最大トルクが大きく、また回転軸伝達手段Ａの伝達可能制限トルクよりもモータＡの静止トルクが大きい場合、アームは外部から力を加えなければ静止する。【０００９】  またプロジェクタ及びスクリーンの位置と回転軸Ａの位置を適切に選ぶことにより、アームと、アームに接続されたプロジェクタ及びスクリーンが重力によって生成する回転軸Ａ周りのトルクを０（ゼロ）に近づけることが可能である。
このようにすれば、回転軸伝達手段Ａの伝達可能制限トルクも小さくすることができるため、アームに外部から軽微な力を加えればスクリーン及びプロジェクタの位置を回転軸Ａの周りに回転することができるようになる。
また、モータＡに電流を流すことによっても、スクリーン及びプロジェクタの位置を回転軸Ａの周りに回転することができる。
なお、アームが回転してもプロジェクタとスクリーンの相対位置は変化していないため、プロジェクタから投射されたスクリーン上の画像は、アームの位置にかかわらず正常に表示される。【００１０】  それゆえシャーシを、シャーシ保持手段を経由してベッドのヘッドボードに固定し、かつ回転軸Ａの中心軸と視聴者の頭部軸をほぼ等しくしておくことにより、視聴者がわずかな力をアームに加えたり、あるいはモータＡに流す電流を制御することで、スクリーンを回転軸Ａの周りに回転させたり、停止させたりすることが可能となるため、視聴者にとっては仰臥ばかりでなく左右どちらの横臥に対してもスクリーンを容易に適視位置に置くことが可能となる。
なお特許文献１及び特許文献２と比較して、同文献に述べられているバランサーの役目をプロジェクタが担い、同文献の表示機器の役割をスクリーンが担うことで、表示装置全体の質量が軽くなり、装置の搬送や設置が容易になる効果がある。【００１１】  また第２の請求項に記載した発明に拠れば、請求項１で述べた特徴に加え、シャーシ保持手段がさらに回転軸Ｂを保持し、またシャーシがさらに回転軸保持手段ＢとモータＢを保持し、かつ回転軸ＢとモータＢの間に伝達トルク制限機能を有する回転力伝達手段Ｂを有するため、シャーシ保持手段を例えばベッドのヘッドボードに固定すれば、シャーシはシャーシ保持手段に保持され、かつ回転軸Ｂを中心に回転をさせることが可能となる。【００１２】  ここでシャーシ及びシャーシが保持する部品が重力によって生成する回転軸Ｂ周りのトルクよりも、回転軸伝達手段Ｂの伝達可能最大トルクが大きく、また回転軸伝達手段Ｂの伝達可能制限トルクよりもモータＢの静止トルクが大きい場合、シャーシは外部から力を加えられなければ静止する。
さらに回転軸保持手段Ｂはベアリング等を用い、回転軸Ｂをほぼ垂直に保つことにより、シャーシ及びシャーシが保持する部品が重力によって生成する回転軸Ｂ周りのトルクを０（ゼロ）に近づけることが可能である。【００１３】  このようにすれば、回転軸伝達手段Ｂの伝達可能制限トルクも小さくすることができるため、シャーシに外部から力を加えなければ静止し、軽微な力を加えればシャーシが回転し、スクリーンの位置を回転軸Ｂの周りに回転することができるようになる。
また、モータＢに電流を流すことによってもシャーシが回転し、スクリーンの位置を回転軸Ｂの周りに回転することができる。
この場合も、プロジェクタとスクリーンの相対位置は変化していないため、プロジェクタから投射されたスクリーン上の画像はシャーシの位置にかかわらず正常に表示される。【００１４】  それゆえ視聴者がわずかな力をシャーシに加えたり、モータＢに流す電流を制御することで、スクリーンを回転軸Ｂの周りに回転させたり、停止させたりすることが可能となるため、視聴者にとっては請求項１の発明に加え、スクリーンをさらに容易に適視位置に置くことができる効果がある。
加えてアームを垂直にし、シャーシを通常仰臥視聴位置から回転軸Ｂ周りに９０度回転させることにより、視聴者の起床・着床動作を妨げない効果も得られる。【００１５】  さらに、第３の請求項に記載した発明に拠れば、第１の請求項に記載した発明に加え、シャーシ保持手段がさらに回転軸保持手段ＢとモータＢを保持し、またシャーシがさらに回転軸Ｂを保持することで、シャーシがシャーシ保持手段に保持されるとともに回転軸Ｂ周りに回転可能とし、かつ回転軸ＢとモータＢの間に伝達トルク制限機能を有する回転力伝達手段Ｂを有するため、第２の請求項に記載した発明と同様に、シャーシ保持手段を例えばベッドのヘッドボードに固定すれば、シャーシはシャーシ保持手段に保持され、かつ回転軸Ｂを中心に回転をさせることが可能となる。
この発明においても、回転軸保持手段Ｂはベアリング等を用い、回転軸Ｂをほぼ垂直に保つことにより、回転軸Ｂ周りのトルクを０に近づけることが可能であり、請求項２に記載した発明と同等の効果が得られる。
【発明を実施するための最良の形態】
【００１６】  以下本発明の実施形態を、図面を用いて詳細に説明する。
第１の実施形態
当該実施形態は請求項１に記載の発明に対応した実施形態であり、図１、図２及び図３は本実施形態における表示装置を説明するための図である。
図１は視聴者１０がベッド２０上に仰臥し、プロジェクタ３０から投射される光がスクリーン４０上に形成する画像を視聴している図である。
本実施形態の表示装置１００は、シャーシ保持手段８０、シャーシ６０、回転軸保持手段Ａ６１、モータＡ７０、回転軸Ａ５４、アーム５０、スクリーン４０、プロジェクタ３０、伝達トルク制限機能を有する回転力伝達手段Ａ９０等で構成される。
なお本実施形態にはモータＡに駆動電流を流す駆動回路、同駆動回路を制御するためのワイヤードもしくはワイヤレスリモコンなどがあるが、説明の簡略化のために図示していない。
表示装置１００においては、シャーシ保持手段８０はシャーシ６０を保持し、シャーシ６０は回転軸保持手段Ａ６１とモータＡ７０を保持している。
また回転軸保持手段Ａ６１は回転軸Ａ５４を保持し、回転軸Ａはアーム５０をアームのＣ点５２で保持し、アーム５０はアームの端部Ａ５１でスクリーン４０を保持し、アーム端部Ｂ５３でプロジェクタ３０を保持している。
さらに、モータＡ７０と回転軸Ａ５４の間には伝達トルク制限機能を有する回転力伝達手段Ａ９０がある。
ここでシャーシ保持手段８０をベッドのヘッドボード２３に取り付けることにより、表示装置１００を固定する。
なお、回転軸Ａの中心軸と視聴者の頭部軸はできるだけ近接させることが望ましい。【００１７】  図２はシャーシ近傍を拡大した図である。
ここで伝達トルク制限機能を有する回転力伝達手段Ａ９０は回転軸Ａプーリ９１、モータＡプーリ９２及びウレタン丸ベルトＡ９３で構成されており、モータＡと回転軸Ａとの間の伝達トルクがＴｓを超える場合ウレタン丸ベルトＡがスリップし、Ｔｓ以上のトルクを伝達しないようになっている。
本実施形態においては、伝達トルク制限機能を有する回転力伝達手段Ａにプーリとウレタン丸ベルトを用いたが、本発明はそれに限定するものでなく、例えば回転軸Ａに金属ローラを取り付け、モータＡ回転軸にウレタンローラを取り付け、両ローラを圧接触させ回転力を伝達し、かつ伝達トルク制限機能を持たせる構造なども、本発明に含まれると考えられる。
なお、回転軸保持手段Ａ６１は図２においてはコの字状の板金に、回転軸Ａの直径よりわずかに大きな直径の丸穴を穿った形状であるが、ベアリングなどを用いることも可能であり、回転軸Ａが回転軸保持手段Ａに保持され、かつ滑らかに回転する機構であることが望ましい。【００１８】  このような構成において、スクリーンの質量Ｍｓ、スクリーンの重心とＣ点との距離をＬｓ、プロジェクタの質量Ｍｐ、プロジェクタの量心とＣ点との距離をＬｐ、アームの質量Ｍａ、アームの重心とＣ点との距離をＬａとして、かつアームの重心の位置がＣ点に対してスクリーン側にあるとすると、アームとプロジェクタとスクリーンのそれぞれが持つＣ点周りのトルクの合計Ｔｔは
【数１】
2008186005.tif 000003
となる。
従って、Ｃ点を適度に選択することにより、回転軸Ａ周りのトルクの合計Ｔｔはほぼゼロにすることが可能である。
また、必要であればプロジェクタに軽度なバランサーを付加し、Ｔｔをほぼ０にすることも可能である。
ここで、モータＡの静止トルクをＴｍｓとしたとき、
【数２】
2008186005.tif 000004
が成り立てば、アームは外部から力を加えられなければ静止する。
またＴｔをほぼゼロとすれば、Ｔｓも小さくでき、回転軸保持手段Ａは回転軸Ａを滑らかに回転させつつ保持できることから、アームを非常に軽微な力でシャーシに対して回転させることができる。
従って図３に示すように視聴者が左横臥した場合は、アームに軽く力を加えることで、アームを視聴者から見て左側に適度に傾け、スクリーンを視聴者のほぼ正面に持ってくることが可能となる。【００１９】  また、図示していないワイヤードもしくはワイヤレスのリモコンを操作することにより、モータＡを正回転もしくは逆回転させるための電流を流すことが可能である。
この場合、視聴者がリモコンボタンを操作して、スクリーンを視聴者のほぼ正面に持ってくることも可能となる。
加えて、例えば視聴者が頭部軸の傾きを検出するようなセンサーを装着し、そのセンサーの出力に応じてモータＡに電流を流すことにより、自動的にスクリーンを視聴者のほぼ正面に持ってくることも可能となる。
いずれの場合も、プロジェクタ３０とスクリーン４０との相対位置は変らないため、スクリーン上に投射された映像は不変である。
なおモータＡについては本実施形態ではＤＣギヤードモータを用いているが、これに限定するものではなく、ＡＣモータやステッピングモータなども使用可能である。【００２０】  さらに、本発明はベッドに付随して使用されるように限定されるものでなく、図９に示したように床用保持手段２４を用いて、シャーシ保持手段８０を固定すれば、視聴者は床もしくはたたみ２１の上の寝具２２の上に仰臥もしくは横臥して、本表示装置を利用できることは当然である。【００２１】  また本実施形態のプロジェクタとしては、例えば２００７年１月現在株式会社東芝より発売されているＴＤＰ−ＦＦ１Ａを用いることが可能である。
このプロジェクタは質量が電池込みで７４０グラムであり、プロジェクタからスクリーンまでの距離を８０ｃｍとすると、スクリーンはおおよそ２２インチとなる。
さらに本実施形態１の設計例では、回転軸Ａからの距離４６．７ｃｍに重心がある質量６８グラムの２２インチのスクリーンと、回転軸Ａからの距離７．４ｃｍにある上記質量７４０グラムのプロジェクタを、回転軸Ａからの距離１８．５ｃｍ（スクリーン側）に重心のある質量２９４グラムのアームに装着した場合、Ｔｔはおよそ２０ｇ・ｃｍとなり、Ｔｓは１００ｇ・ｃｍあれば十分で、非常に軽い力で回転が可能となる。
また、モータＡに必要とされるトルクも小さく、小型・安価なモータの使用が可能である。【００２２】第１の実施形態の効果
本実施形態の表示装置を利用する視聴者は、仰臥した場合はアームを垂直に、左側に横臥した場合はアームを左方向に、また右側に横臥した場合はアームを右方向に軽微な力もしくはリモコンボタンを操作して回転させることが可能である。
またアームの回転軸Ａと、視聴者の頭部軸をほぼ一致させれば、常にスクリーンが視聴者の正面に来るように調整することが可能となる。
本実施形態の動作については特許文献１および２に開示されている表示装置と同様であるが、特許文献１および２で必要とされた重量の大きなバランサーが不要であり、かつプロジェクタを用いているため、表示画面サイズが大きいにもかかわらず、特許文献１および２に比べて表示装置の質量を軽減することが可能となり、装置の搬送や設置が容易になる効果がある。
さらに伝達トルク制限機能を有する回転力伝達手段Ａの働きにより、アームやスクリーンが視聴者もしくは寝具などに触れた場合、その位置で静止し、視聴者もしくは寝具を傷つけにくい効果もある。【００２３】第２の実施形態
当該実施形態は請求項２に記載の発明に対応した実施形態であり、図４、図５、図６及び図７は本実施形態における表示装置を説明するための図である。
図４では視聴者１０、がベッド２０、プロジェクタ３０、スクリーン４０、アーム５０、回転軸Ａ５４、モータＡ７０、回転力伝達手段Ａ９０等は第１の実施形態と同じであり説明を省略する。
本実施形態においては、表示装置１００は第１の実施形態の構成要素に加え、回転軸Ｂ５５、回転軸保持手段Ｂ６２、モータＢ７１及び伝達トルク制限機能を有する回転力伝達手段Ｂ９４で構成されている。
ここでシャーシ保持手段８０が回転軸Ｂ５５を保持しており、またシャーシ６０は図示しない回転軸保持手段Ｂ６２を保持している。
加えてシャーシ６０はモータＢ７１を保持し、回転軸Ｂ５５とモータＢ７１の間に伝達トルク制限機能を有する回転力伝達手段Ｂ９４を持っている。
図５は、当該実施形態のシャーシ６０近傍を拡大した図である。
ここで、回転力伝達手段Ｂ９４は回転軸Ｂプーリ９６、モータＢプーリ９７及びウレタン丸ベルトＢ９８で構成されている。
本実施形態にはモータＢに駆動電流を流す駆動回路、同駆動回路を制御するためのワイヤードもしくはワイヤレスリモコンなどがあるが、説明の簡略化のために図示していない。【００２４】  図６は本実施形態の回転軸Ｂ周辺を明示するための分解図である。
ここで回転軸Ｂ５５は表示装置保持手段８０に保持されており、回転軸保持手段Ｂ６２はベアリングでありシャーシ６０の一部であるシャーシ底部６３に保持されている。
また回転軸Ｂ５５はベアリング内に圧入・貫通した後回転軸Ｂプーリ９６が装着されている。
このように構成することで、シャーシ６０は回転軸Ｂとベアリングに支えられ、回転軸Ｂ周りに回転することが可能となる。
さらに、モータＢ７１はシャーシ６０に保持され、モータＢの回転軸にはモータＢプーリ９７が装着されており、回転軸Ｂプーリ９６とモータＢプーリ９７の間にはウレタン丸ベルトＢ９８があり、モータＢと回転軸Ｂとの間の伝達トルクがＴｓｌを超える場合ウレタン丸ベルトＢがスリップし、Ｔｓｌ以上のトルクを伝達しないようになっている。
従って、たとえば本実施形態の表示装置を、シャーシ保持装置８０を用いてヘッドボードに固定したときに回転軸Ｂをほぼ垂直に保った場合、シャーシ６０及びシャーシが保持する部品が重力によって生成する回転軸Ｂ５５周りのトルクＴｔｌを０に近づけることが可能である。
ここでモータＢの静止トルクをＴｍｓｌとしたとき、
【数３】
2008186005.tif 000005
が成り立てば、シャーシ６０は外部から力を加えられなければ静止する。
またＴｔｌをほぼゼロとすれば、Ｔｓｌも小さくでき、シャーシ６０を非常に軽微な力でシャーシ保持手段８０に対して回転させることができる。
さらに、本表示装置は図示していないワイヤードもしくはワイヤレスのリモコンのボタンを操作することにより、モータＢに正回転もしくは逆回転させるための電流を流すことも可能である。
本実施形態においても、モータＢに必要とされるトルクも小さく、小型・安価なモータの使用が可能である。
この場合、視聴者がリモコンボタンを操作して、シャーシをシャーシ保持手段に対して回転させることができる。
いずれの場合も、プロジェクタ３０とスクリーン４０との相対位置は変らないため、スクリーン上に投射された映像は不変である。【００２５】  第２の実施形態の効果
本実施形態の表示装置を利用する視聴者は、第１の実施形態による効果に加え、シャーシを軽微な力もしくはリモコンボタンの操作により回転することが容易であり、スクリーンを更に見やすい位置に置くことが可能となる効果がある。
また図７に示すように、この表示装置を使用しない場合は、アームを垂直にし、かつシャーシを通常仰臥視聴位置から回転軸Ｂ周りに９０度回転させることにより、スクリーンを視聴者の起床・着床動作を妨げない位置に置くことも可能となる効果がある。
なお伝達トルク制限機能を有する回転力伝達手段Ｂの働きにより、アームやスクリーンが視聴者もしくは寝具などに触れた場合、その位置で静止し、視聴者もしくは寝具を傷つけにくい効果もある。【００２６】第３の実施形態
当該実施形態は請求項３に記載の発明に対応した実施形態であり、図８は本実施形態における表示装置に用いられる回転軸Ｂ周辺を明示するための分解図である
当該実施形態では、表示装置１００の構成要素は第２の実施形態と同じであるが、図８に示したようにシャーシ保持手段８０が回転軸保持手段Ｂ６２とモータＢ７１を保持している。
またシャーシ６０は、シャーシ底部６３が回転軸Ｂプーリ９６を保持しており、回転軸Ｂプーリに回転軸Ｂ５５が装着されている。
さらに回転軸保持手段Ｂ６２はベアリングであり、回転軸Ｂ５５が圧入されている。
加えてモータＢ７１の回転軸にモータＢプーリ９７が装着され、回転軸Ｂプーリ９６とモータＢプーリ９７の間にウレタン丸ベルトＢ９８がかけられ、回転力伝達手段Ｂ９４を構成している。
従って本実施形態の表示装置を、シャーシ保持装置８０を用いてヘッドボードに固定したときに回転軸Ｂをほぼ垂直に保った場合、第２の実施形態と同様に、数３が成り立てば外部から力を加えなければシャーシは静止する。
またシャーシ６０に非常に軽微な力を加えたり、リモコンを操作したりすることによりシャーシ６０をシャーシ保持手段８０に対して回転させることができる
ゆえに、本実施形態の表示装置は、第２の実施形態と同等の効果が得られる。
【図面の簡単な説明】
【００２７】
【図１】第１の実施形態における表示装置の説明図
【図２】第１の実施形態におけるシャーシ近傍の拡大図
【図３】第１の実施形態において視聴者が左横臥した場合の説明図
【図４】第２の実施形態における表示装置の説明図
【図５】第２の実施形態におけるシャーシ近傍の拡大図
【図６】第２の実施形態の回転軸Ｂ周辺を明示するための分解図
【図７】第２の実施形態において表示装置を使用しない場合の説明図
【図８】第３の実施形態の回転軸Ｂ周辺を明示するための分解図
【図９】第１の実施形態における床もしくはたたみ上での応用例
【符号の説明】
【００２８】１０・・・視聴者
２０・・・ベッド
２１・・・床もしくはたたみ
２２・・・寝具
２３・・・ヘッドボード
２４・・・床用保持手段
３０・・・プロジェクタ
４０・・・スクリーン
５０・・・アーム
５１・・・アーム端部Ａ
５２・・・アームＣ点
５３・・・アーム端部Ｂ
５４・・・回転軸Ａ
５５・・・回転軸Ｂ
６０・・・シャーシ
６１・・・回転軸保持手段Ａ
６２・・・回転軸保持手段Ｂ
６３・・・シャーシ底部
７０・・・モータＡ
７１・・・モータＢ
８０・・・シャーシ保持手段
９０・・・回転力伝達手段Ａ
９１・・・回転軸Ａプーリ
９２・・・モータＡプーリ
９３・・・ウレタン丸ベルトＡ
９４・・・回転力伝達手段Ｂ
９６・・・回転軸８プーリ
９７・・・モータＢプーリ
９８・・・ウレタン丸ベルトＢ
１００・・・表示装置
【図１】
2008186005.tif 000006
【図２】
2008186005.tif 000007
【図３】
2008186005.tif 000008
【図４】
2008186005.tif 000009
【図５】
2008186005.tif 000010
【図６】
2008186005.tif 000011
【図７】
2008186005.tif 000012
【図８】
2008186005.tif 000013
【図９】
2008186005.tif 000014